(57)【特許請求の範囲】
【請求項１】
磁極位置検出素子が実装された基板を備えるモールド固定子と、
椀状隔壁部品内に回転自在に収納され、一端が前記磁極位置検出素子に対向し、他端が羽根車を取付ける羽根車取付部を備えた回転子部を有する回転子と、を備え、
前記回転子部は、
マグネットと、前記マグネットの内側に配置されるスリーブ軸受と、が熱可塑性樹脂で一体化されており、前記熱可塑性樹脂で前記羽根車取付部が形成されており、
前記マグネットは、
その外周部に、軸方向に延在する複数個の溝部を備え、
前記溝部は、
前記熱可塑性樹脂により埋設されている
ポンプ。
【請求項２】
前記溝部は、
前記回転子に形成される磁極間に形成されている
請求項１に記載のポンプ。
【請求項３】
前記溝部は、
前記マグネットの両端面に開放するように形成されている
請求項１又は２に記載のポンプ。
【請求項４】
前記マグネットは、
中空部を有し、
前記回転子部の磁極位置検出素子対向側端面に形成された複数個の第１突起と、
前記中空部に周方向に略等間隔に、羽根車側端面に向かって軸方向に延在している複数個の第２突起と、を備えている
請求項１乃至３のいずれか一項に記載のポンプ。
【請求項５】
前記マグネットは、
前記マグネットの回転方向の位置決め、及び前記マグネットと前記スリーブ軸受との同軸を確保する、前記回転子部の磁極位置検出素子対向側端面に複数の切欠きを備えている
請求項１乃至４のいずれか一項に記載のポンプ。
【請求項６】
前記マグネットは、
前記回転子部の磁極位置検出素子対向側端面の外周部の磁極中心に極数と同数個形成されており、
軸方向に突き出した磁極位置検出部を備えている
請求項１乃至５のいずれか一項に記載のポンプ。
【請求項７】
冷媒−水熱交換器を介して冷媒回路と水回路とを接続し、前記水回路に請求項１乃至６のいずれか一項に記載のポンプを搭載した
冷凍サイクル装置。
【請求項８】
固定子鉄心のティースに絶縁部を施し、前記絶縁部が施された前記ティースにコイルを巻回して固定子を製造し、電子部品が実装されるとともにリード線を口出しするリード線口出し部品が取り付けられる基板を製造する工程と、
外周部に形成され略角形状の溝部を備えるマグネットと前記マグネットの内側に設けられるスリーブ軸受とを熱可塑性樹脂を用いて一体的に組み立てて回転子部を製造し、さらに羽根車を製造する工程と、
前記基板を前記固定子に組付け、前記回転子部に前記羽根車を組付けて回転子を製造し、さらに椀状隔壁部品、軸及びスラスト軸受を製造する工程と、
前記固定子の端子と前記基板とを半田付けし、前記椀状隔壁部品に前記回転子を組付け、さらに吸水口と吐出口とを有するケーシングを成形し、下穴部品を製造する工程と、
前記固定子と前記下穴部品とをモールド樹脂で一体に成形してモールド固定子を製造し、前記椀状隔壁部品に前記ケーシングを固定してポンプ部を組立て、外周部付近に複数のネジ穴を有するポンプ部を製造する工程と、
前記モールド固定子に前記ポンプ部を組付け、前記ポンプ部の前記ネジ穴を介して、タッピングネジを締結し、前記ポンプ部と前記モールド固定子とを組み付ける工程と、を備え、
前記マグネットに形成されている前記溝部は、
前記マグネットと前記スリーブ軸受との前記熱可塑性樹脂による一体成形時に、前記熱可塑性樹脂により埋設される
ポンプの製造方法。
【請求項９】
前記マグネットには、
前記回転子部の磁極位置検出素子対向側端面に複数個形成され、前記回転子部の一体成形時に金型が押し当てられる略角形状の第１突起と、
前記マグネットの中空部に周方向に略等間隔に複数個形成され、羽根車側端面に向かって軸方向に延在し、前記回転子部の一体成形時に金型が押し当てられる略角形状の第２突起と、が形成されている
請求項８に記載のポンプの製造方法。
【請求項１０】
前記マグネットには、
前記回転子部の一体成形時に金型が当接し、前記マグネットの回転方向の位置決め及びマグネットとスリーブとの同軸を確保することを可能とする略角形状の切欠きが、前記回転子部の磁極位置検出素子対向側端面に複数個形成されている
請求項８又は９に記載のポンプの製造方法。
【発明の詳細な説明】
【技術分野】
【０００１】
本発明は、ポンプ、及びたとえば空気調和装置や床暖房装置、給湯装置等の冷凍サイクル装置、並びにポンプの製造方法に関するものである。
【背景技術】
【０００２】
従来から、ポンプに関する発明が種々提案されている。そのようなものの１つとして、「外側を樹脂で被覆された円筒状のマグネットとマグネットの磁極位置を検出するホール素子を有し、マグネットの磁極位置を検出したホール素子の信号により、コイルに電流を通電させて、回転磁界を発生させるブラシレスモーターの、ホール素子側のマグネット端面に、マグネット突起を設けたことを特徴とする、ブラシレスモーターおよびそれを用いたポンプ」が開示されている（たとえば、特許文献１参照）。【０００３】
このポンプは、マグネット突起を設けることにより、マグネットとホール素子との距離を短くし、これにより、ホール素子への磁力が強くなり、マグネットが高温になって減磁してもホール素子への磁力が不足しないため、制御部の部品が異常発熱に至らなく、正常に運転を続けることができるようになっている。
【先行技術文献】
【特許文献】
【０００４】
【特許文献１】特開２００５−３２３４５２号公報（第３、４頁、図１）
【発明の概要】
【発明が解決しようとする課題】
【０００５】
特許文献１に記載されているポンプは、マグネットの外周部を樹脂で被覆してマグネットを固定しているため、固定子とマグネットとの間の距離が長く、ポンプを駆動するモータの性能が低下してしまう可能性があった。【０００６】
本発明は、以上のような課題を解決するためになされたもので、ポンプ用電動機の回転子のマグネットを強固に保持しつつ、固定子とマグネットの径方向距離を短くし、ポンプを駆動するモータの性能向上を図ることを可能とするポンプ及び冷凍サイクル装置並びにポンプの製造方法を提供することを目的としている。
【課題を解決するための手段】
【０００７】
本発明に係るポンプは、磁極位置検出素子が実装された基板を備えるモールド固定子と、椀状隔壁部品内に回転自在に収納され、一端が前記磁極位置検出素子に対向し、他端が羽根車を取付ける羽根車取付部を備えた回転子部を有する回転子と、を備え、前記回転子部は、マグネットと、前記マグネットの内側に配置されるスリーブ軸受と、が熱可塑性樹脂で一体化されており、前記熱可塑性樹脂で前記羽根車取付部が形成されており、前記マグネットは、その外周部に、軸方向に延在する複数個の溝部を備え、前記溝部は、前記熱可塑性樹脂により埋設されているものである。
【０００８】
本発明に係る冷凍サイクル装置は、冷媒−水熱交換器を介して冷媒回路と水回路とを接続し、前記水回路に上記のポンプを搭載したものである。【０００９】
本発明に係るポンプの製造方法は、固定子鉄心のティースに絶縁部を施し、前記絶縁部が施された前記ティースにコイルを巻回して固定子を製造し、電子部品が実装されるとともにリード線を口出しするリード線口出し部品が取り付けられる基板を製造する工程と、外周部に放射状に形成され略角形状の溝部を備えるマグネットと前記マグネットの内側に設けられるスリーブ軸受とを熱可塑性樹脂を用いて一体的に組み立てて回転子部を製造し、さらに羽根車を製造する工程と、前記基板を前記固定子に組付け、前記回転子部に前記羽根車を組付けて回転子を製造し、さらに椀状隔壁部品、軸及びスラスト軸受を製造する工程と、前記固定子の端子と前記基板とを半田付けし、前記椀状隔壁部品に前記回転子を組付け、さらに吸水口と吐出口とを有するケーシングを成形し、下穴部品を製造する工程と、前記固定子と前記下穴部品とをモールド樹脂で一体に成形してモールド固定子を製造し、前記椀状隔壁部品に前記ケーシングを固定してポンプ部を組立て、外周部付近に複数のネジ穴を有するポンプ部を製造する工程と、前記モールド固定子に前記ポンプ部を組付け、前記ポンプ部の前記ネジ穴を介して、タッピングネジを締結し、前記ポンプ部と前記モールド固定子とを組み付ける工程と、を備えたものである。
【発明の効果】
【００１０】
本発明に係るポンプによれば、熱可塑性樹脂による一体成形時に、溝部が熱可塑性樹脂で埋設されて、マグネットが熱可塑性樹脂で保持され、溝部以外は、回転子部の外周に表出することで、固定子とマグネットとの距離を短くすることが可能となり、ポンプの性能向上を図ることができるものである。また、本発明に係るポンプによれば、溝部が熱可塑性樹脂で埋設されて、マグネットが熱可塑性樹脂で保持されるので、熱衝撃等によるマグネットの割れを抑制し、ポンプの品質向上を図ることが可能となる。【００１１】
本発明に係る冷凍サイクル装置によれば、上記のポンプが搭載されているので、このポンプの性能及び品質向上に伴い、性能向上及び品質向上が可能となる。【００１２】
本発明に係るポンプの製造方法によれば、外周部に放射状に形成され略角形状の溝部を備えるマグネットとマグネットの内側に設けられるスリーブ軸受とを熱可塑性樹脂で一体化して回転子部を製造する工程を有しているので、溝部以外は、回転子部の外周に表出することで、固定子とマグネットとの距離を短くすることが可能となり、ポンプの性能向上を図ることができる。
【図面の簡単な説明】
【００１３】
【図１】本発明の実施の形態に係るヒートポンプ式給湯装置の回路構成の一例を示す概略回路構成図である。
【図２】本発明の実施の形態に係るポンプの分解斜視図である。
【図３】本発明の実施の形態に係るポンプのモールド固定子の斜視図である。
【図４】本発明の実施の形態に係るポンプのモールド固定子の断面図である。
【図５】本発明の実施の形態に係るポンプの固定子組立の分解斜視図である。
【図６】本発明の実施の形態に係るポンプのポンプ部の分解斜視図である。
【図７】本発明の実施の形態に係るポンプの断面図である。
【図８】本発明の実施の形態に係るポンプのケーシングを軸支持部側から見た斜視図である。
【図９】本発明の実施の形態に係るポンプの回転子部の断面図である。
【図１０】本発明の実施の形態に係るポンプの回転子部を羽根車取付部側から見た側面図である。
【図１１】本発明の実施の形態に係るポンプの回転子部を羽根車取付部の反対側から見た側面図である。
【図１２】本発明の実施の形態に係るポンプのスリーブ軸受の拡大断面図である。
【図１３】本発明の実施の形態に係るポンプの樹脂マグネットの断面図である。
【図１４】本発明の実施の形態に係るポンプの樹脂マグネットを突起側から見た側面図である。
【図１５】本発明の実施の形態に係るポンプの樹脂マグネットを突起の反対側から見た側面図である。
【図１６】本発明の実施の形態に係るポンプの樹脂マグネットを突起側から見た斜視図である。
【図１７】本発明の実施の形態に係るポンプの樹脂マグネットを突起の反対側から見た斜視図である。
【図１８】本発明の実施の形態に係るポンプの回転子部を突起側から見た斜視図である。
【図１９】本発明の実施の形態に係るポンプの樹脂マグネットを突起の反対側から見た斜視図である。
【図２０】本発明の実施の形態に係るポンプの製造工程を示す図である。
【図２１】冷媒−水熱交換器を用いる本発明の実施の形態に係る冷凍サイクル装置の回路構成を示す概念図である。
【発明を実施するための形態】
【００１４】
以下、本発明の実施の形態を図面に基づいて説明する。
図１は、本発明の実施の形態に係るヒートポンプ式給湯装置３００（以下、給湯装置３００と称する）の回路構成の一例を示す概略回路構成図である。図１に基づいて、本発明の実施の形態に係るポンプが用いられる給湯装置３００について、その概要を簡単に説明する。なお、図１を含め、以下の図面では各構成部材の大きさの関係が実際のものとは異なる場合がある。
【００１５】
給湯装置３００は、冷媒回路を備えた冷凍サイクル装置の一例であり、ヒートポンプユニット１００と、タンクユニット２００と、ユーザーが運転操作などを行う操作部１１と、を備えている。
【００１６】
図１において、ヒートポンプユニット１００は、冷媒を圧縮する圧縮機１（たとえば、ロータリ圧縮機、スクロール圧縮機、ベーン型圧縮機等）と、冷媒と水とが熱交換を行う冷媒−水熱交換器２と、高圧の冷媒を減圧膨張させる減圧装置３と、低圧の二相冷媒を蒸発させる蒸発器４と、圧縮機１の吐出圧力を検出する圧力検出装置５と、冷媒−水熱交換器２の沸上げ温度検出手段８と、冷媒−水熱交換器２の給水温度検出手段９と、外気温度検出手段１７と、蒸発器４に送風するファン７と、ファン７を駆動するファンモータ６と、ヒートポンプユニット制御部１３と、を備えている。
【００１７】
そして、圧縮機１、冷媒−水熱交換器２の冷媒側、減圧装置３、蒸発器４が冷媒配管１５によって環状に接続されて冷媒回路を構成している。ヒートポンプユニット制御部１３は、圧力検出装置５、沸上げ温度検出手段８、給水温度検出手段９、及び外気温度検出手段１７からの信号を受信し、圧縮機１の回転数制御、減圧装置３の開度制御、ファンモータ６の回転数制御、タンクユニット制御部１２との間での信号の送受信を行う。
【００１８】
タンクユニット２００は、冷媒−水熱交換器２で高温・高圧の冷媒と熱交換することにより加熱された湯水を貯湯する温水タンク１４と、風呂水の追い焚きを行う風呂水追い焚き熱交換器３１と、風呂水循環装置３２と、冷媒−水熱交換器２と温水タンク１４の間に配置された温水循環装置であるポンプ１０と、ポンプ１０と温水タンク１４と風呂水追い焚き熱交換器３１とに接続された混合弁３３と、タンク内水温検出装置３４と、風呂水追い焚き熱交換器３１を通過した後の水温を検出する追い焚き後水温検出装置３５と、混合弁３３を通過した後の水温を検出する混合後水温検出装置３６と、タンクユニット制御部１２と、を備えている。
【００１９】
そして、温水タンク１４、混合弁３３、ポンプ１０、冷媒−水熱交換器２の水側が温水循環配管１６によって接続されている。また、温水タンク１４、風呂水追い焚き熱交換器３１、混合弁３３が風呂水追い焚き配管３７によって接続されている。タンクユニット制御部１２は、タンク内水温検出装置３４、追い焚き後水温検出装置３５、混合後水温検出装置３６からの信号を受信し、ポンプ１０の回転数制御、混合弁３３の開閉制御、及び操作部１１との間での信号の送受信を行う。なお、図１では、タンクユニット制御部１２が温水タンク１４内に備えられているかのように図示しているが、実際は温水タンク１４の外部に備えられている。
【００２０】
操作部１１は、ユーザーが湯水の温度設定や出湯指示などを行うためのスイッチなどを備えたリモコンや操作パネルなどである。
【００２１】
上記のように構成した給湯装置３００における通常の沸上げ運転動作について説明する。操作部１１またはタンクユニット２００からの沸上げ運転指示がヒートポンプユニット制御部１３に伝えられると、ヒートポンプユニット制御部１３は、各アクチュエータ（圧縮機１、減圧装置３、ファンモータ６等の駆動部品）を制御して沸上げ運転を実行する。
【００２２】
具体的には、ヒートポンプユニット１００に備えられたヒートポンプユニット制御部１３は、圧力検出装置５、沸上げ温度検出手段８、給水温度検出手段９、外気温度検出手段１７の検出値、タンクユニット制御部１２から伝達される操作部１１からの情報などに基づいて、圧縮機１の回転数制御、減圧装置３の開度制御、ファンモータ６の回転数制御を行う。
【００２３】
また、ヒートポンプユニット制御部１３とタンクユニット制御部１２との間で沸上げ温度検出手段８の検出値の送受信を行い、タンクユニット制御部１２は、沸上げ温度検出手段８で検出した温度が目標沸上げ温度になるよう、ポンプ１０の回転数を制御する。
【００２４】
以上のように制御される給湯装置３００において、圧縮機１から吐出された高温高圧の冷媒は冷媒−水熱交換器２で給水回路側へ放熱しながら温度低下する。放熱して冷媒−水熱交換器２を通過した高圧低温の冷媒は、減圧装置３で減圧される。減圧装置３を通過した冷媒は蒸発器４に流入し、そこで外気空気から吸熱する。蒸発器４を出た低圧冷媒は圧縮機１に吸入されて循環し冷凍サイクルを形成する。
【００２５】
一方、温水タンク１４の下部の水は、温水循環装置であるポンプ１０の駆動により冷媒−水熱交換器２へ導かれる。ここで、冷媒−水熱交換器２からの放熱によって水が加熱され、加熱された湯水は温水循環配管１６を通って温水タンク１４の上部に戻されて蓄熱される。
【００２６】
以上のように、給湯装置３００においては、温水タンク１４と冷媒−水熱交換器２との間の温水循環配管１６に、湯水を循環させる温水循環装置としてポンプ１０が用いられる。
【００２７】
次に、温水循環装置として用いられる本発明の実施の形態に係るポンプ１０について説明する。図２は、ポンプ１０の分解斜視図である。
【００２８】
図２に示すように、ポンプ１０は、回転子（後述する）の回転により水を吸水して吐出するポンプ部４０と、回転子を駆動する機構を備えたモールド固定子５０と、ポンプ部４０とモールド固定子５０とを締結する締結ネジであるタッピングネジ１６０（図２の例は、５本）とを備える。但し、タッピングネジ１６０の数は５本に限定されるものではない。
【００２９】
ポンプ１０は、５本のタッピングネジ１６０をポンプ部４０のボス部４４に形成されたネジ穴４４ａを介し、モールド固定子５０に埋め込まれた下穴部品８１（後述する図５参照）の下穴８４に締結することで組み立てられる。
【００３０】
先ず、モールド固定子５０の構成について説明する。図３はモールド固定子５０の斜視図、図４はモールド固定子５０の断面図、図５は固定子組立４９の分解斜視図である。
【００３１】
図３、図４に示すように、モールド固定子５０は、固定子組立４９（図５参照）をモールド樹脂５３によりモールド成形することにより得られる。
【００３２】
モールド固定子５０の軸方向の一方の端面（ポンプ部４０側）は、外周縁部に沿って平坦なポンプ部設置面６３になっている。
【００３３】
モールド樹脂５３の軸を中心とした五隅には、略円柱状の樹脂成形品の下穴部品８１の足部８５（図４、図５参照）が軸方向に埋め込まれている。下穴部品８１がモールド樹脂に埋め込まれた状態で、下穴８４がポンプ部設置面６３に開口するようになっている。モールド樹脂５３によるモールド成形時に、下穴部品８１の足部８５の一方の端面（ポンプ部４０側）は、成形金型の金型押え部８２（図４参照）になる。そのため、下穴部品８１の端面一部が、ポンプ部設置面６３より所定の距離だけ軸方向にモールド樹脂の内側に埋め込まれる形で表出している。表出しているのは、金型押え部８２及びタッピングネジ１６０用の下穴８４である。
【００３４】
後述する固定子組立４９から引き出されるリード線５２が、モールド固定子５０のポンプ部４０の反対側の軸方向端面付近から外部に引き出されている（図４では、右隅）。
【００３５】
モールド固定子５０のモールド樹脂５３（熱硬化性樹脂）によるモールド成形時の軸方向の位置決めは、基板押え部品９５（図５参照）に形成されている複数個の突起９５ａの軸方向外側の端面が、上型の金型押え部になることで実行される。そのため、モールド固定子５０の基板５８側の軸方向端面に、複数個の突起９５ａの軸方向外側の端面（金型押え面）が表出している。
【００３６】
また、反結線側（ポンプ部４０側）の絶縁部５６の軸方向端面が、下型の金型押え部になる。そのため、モールド固定子５０の基板５８の反対側の軸方向端面に、反結線側の絶縁部５６の端面が表出している（図示せず）。
【００３７】
モールド固定子５０のモールド成形時の径方向の位置決めは、固定子鉄心５４の内周面が金型に嵌合することでなされる。そのため、図３に示すようにモールド固定子５０の内周部に、固定子組立４９の固定子鉄心５４のティースの先端部（内周部）が表出している。
【００３８】
モールド固定子５０の内部の構成、即ち、固定子組立４９（図４に示す、リード線５２、固定子鉄心５４、絶縁部５６、コイル５７、基板５８、端子５９等）、下穴部品８１については、後述する。
【００３９】
次に、固定子組立４９について説明する。図５に示すように、固定子組立４９は、固定子４７と、下穴部品８１とを備える。
【００４０】
固定子組立４９は、以下に示す手順で製作される。
（１）厚さが０．１〜０．７ｍｍ程度の電磁鋼板が帯状に打ち抜かれ、かしめ、溶接、接着等で積層された帯状の固定子鉄心５４を製作する。帯状の固定子鉄心５４は、複数個のティースを備える。図３に示すモールド固定子５０の内周部に、固定子鉄心５４のティースの先端部が表出している。ここで示す固定子鉄心５４は、薄肉連結部で連結されている１２個のティースを有するので、図３においても、１２箇所に固定子鉄心５４のティースの先端部が表出している。但し、図３で見えているティースは１２個のティースのうちの５個のティースである。
【００４１】
（２）固定子鉄心５４のティースには、絶縁部５６が施される。絶縁部５６は、例えば、ＰＢＴ（ポリブチレンテレフタレート）等の熱可塑性樹脂を用いて、固定子鉄心５４と一体に又は別体で成形される。
（３）絶縁部５６が施されたティースには、集中巻のコイル５７（図４参照）が巻回される。１２個の集中巻のコイル５７を接続して、三相のシングルＹ結線の巻線を形成する。
（４）三相のシングルＹ結線であるので、絶縁部５６の結線側には、各相（Ｕ相、Ｖ相、Ｗ相）のコイル５７が接続される端子５９（図４参照、電源が供給される電源端子及び中性点端子）が組付けられる。電源端子は３個、中性点端子は１個である。
【００４２】
（５）基板５８が結線側の絶縁部５６（端子５９が組付けられる側）に取り付けられる。基板５８は、基板押え部品９５により絶縁部５６との間に挟持される。基板５８には、電動機（ブラシレスＤＣモータ）を駆動するＩＣ５８ａ（駆動素子）、回転子６０の位置を検出するホール素子５８ｂ（図４参照、位置検出素子）等が実装されている。ＩＣ５８ａは基板５８の基板押え部品９５側に実装されるので、図５で見えているが、ホール素子５８ｂは、ＩＣ５８ａとは反対側に実装されるので、図５では見えていない。ＩＣ５８ａやホール素子５８ｂを、電子部品と定義する。また、基板５８には、その外周縁部付近の切り欠き部にリード線５２を口出しするリード線口出し部品６１が、取り付けられる。
【００４３】
（６）リード線口出し部品６１が取り付けられた基板５８が、基板押え部品９５により絶縁部５６に固定され、端子５９と基板５８とが半田付けされた固定子４７に下穴部品８１を組みつけることで固定子組立４９が完成する。
【００４４】
下穴部品８１の構成を図５により説明する。下穴部品８１は、ＰＢＴ（ポリブチレンテレフタレート）等の熱可塑性樹脂を成形して形成される。
【００４５】
図５に示すように、下穴部品８１は、タッピングネジ１６０を締結する下穴８４と、モールド成形時にモールド金型が当接する突起８３と、を備えた略円柱部の複数の足部８５が、薄肉の連結部８７で連結されている。略円柱部の足部８５は、下穴部品８１を固定子４７とともにモールド成形した後、下穴部品８１の抜け防止のため、足部８５の表出端面（金型押え部８２、及び、突起８３端部）を基準に中央部に向かって太くなるテーパ状である。
【００４６】
また、下穴部品８１は、下穴部品８１の回転防止のための複数の突起８５ａ（例えば、一つの足部８５に４個）を足部８５の外周部に備えている。突起８５ａは、所定の周方向の幅で足部８５の高さ方向に形成される。また、突起８５ａは、下穴部品８１の回転を防止するために必要な所定の寸法分、足部８５の外周部から径方向に突出している。下穴部品８１は、略円柱部の足部８５を薄肉の連結部８７で連結することで、モールド金型へ一度でセットすることが可能になることにより、加工コストの低減が可能となる。
【００４７】
また、下穴部品８１の連結部８７に、下穴部品８１を固定子４７に組み付けるための複数の爪８６を設け、固定子４７の固定子鉄心５４の外周部に形成された溝５４ａに、下穴部品８１の爪８６を係り止めすることにより、固定子４７と下穴部品８１とをモールド金型へ一度でセットすることが可能になることにより、加工コストの低減が更に可能となる。
【００４８】
固定子４７に下穴部品８１を係り止めした固定子組立４９のモールド樹脂５３によるモールド成形時に、下穴部品８１のタッピングネジ１６０用の下穴８４の開口側の端面（金型押え部８２）と、下穴部品８１の他端面に備える突起８３とを、モールド成形金型により狭持することで下穴部品８１の軸方向の位置決めを行う。
【００４９】
下穴部品８１のタッピングネジ１６０用の下穴８４の開口側の端面の金型押え部８２の外径Ｄ２を、下穴部品８１の開口側の端面の外径Ｄ１より小さくする（図４参照）。それにより、下穴部品８１の端面は、金型押え部８２を除く部分が、モールド樹脂５３で覆われる。従って、下穴部品８１の両端面がモールド樹脂５３で覆われるので、下穴部品８１の表出を抑制し、ポンプ１０の品質向上を図ることが可能となる。
【００５０】
モールド固定子５０は、固定子４７に組み付けられた下穴部品８１がモールド樹脂５３で一体に成形され、このとき下穴部品８１の足部８５のタッピングネジ１６０用の下穴８４が表出する。ポンプ部４０に形成されたネジ穴４４ａを介して、タッピングネジ１６０で下穴８４に締結してポンプ部４０とモールド固定子５０とを組み付けることにより、ポンプ部４０とモールド固定子５０とを強固に組み付けることが可能となる（図２参照）。
【００５１】
次に、ポンプ部４０の構成を説明する。図６はポンプ部４０の分解斜視図、図７はポンプ１０の断面図、図８はケーシング４１を軸支持部４６側から見た斜視図である。
【００５２】
図６に示すように、ポンプ部４０は、以下に示す要素で構成される。
（１）ケーシング４１
ケーシング４１は、流体の吸入口４２と吐出口４３とを有し、内部に回転子６０の羽根車６０ｂを収納するものである。ケーシング４１は、ＰＰＳ（ポリフェニレンサルファイド）などの熱可塑性樹脂を用いて成形される。ケーシング４１には、流体の吸入口４２側の端部に、ポンプ部４０とモールド固定子５０とを組み付ける際に用いられるネジ穴４４ａを有するボス部４４が５箇所に設けられる。
【００５３】
（２）スラスト軸受７１
スラスト軸受７１の材質は、アルミナ等のセラミックである。回転子６０は、ポンプ１０の運転中、回転子６０の羽根車６０ｂの表裏に作用する圧力差によりスラスト軸受７１を介してケーシング４１に押し付けられるため、スラスト軸受７１にはセラミックにより製作されたものを使用し、耐摩耗性、摺動性を確保している。
【００５４】
（３）回転子６０
回転子６０は、回転子部６０ａと、羽根車６０ｂとを備える。回転子部６０ａは、フェライト等の磁性粉末と樹脂を混練したペレットを成形したリング状（円筒状）の樹脂マグネット６８（マグネットの一例）と、樹脂マグネット６８の内側に設けられる円筒形のスリーブ軸受６６（例えば、カーボン製）とが、例えばＰＰＥ（ポリフェニレンエーテル）等の樹脂部６７で一体化される（後述する図１１参照）。羽根車６０ｂは、例えばＰＰＥ（ポリフェニレンエーテル）等の樹脂成形品である。回転子部６０ａと、羽根車６０ｂとが超音波溶着等により接合される。なお、回転子６０の回転子部６０ａの詳細は後述する。
【００５５】
（４）軸７０
軸７０の材質は、アルミナ等のセラミック、ＳＵＳなどである。軸７０は、回転子６０に備えるスリーブ軸受６６と摺動するため、セラミックやＳＵＳなどの材質が選ばれ、耐磨耗性、摺動性を確保している。椀状隔壁部品９０の軸支持部９４に軸７０の一端が挿入され、軸７０の他端がケーシング４１の軸支持部４６に挿入される。椀状隔壁部品９０の軸支持部９４に挿入される軸７０の一端は、軸支持部９４に対して回転しないように挿入される。そのため、軸７０の一端は所定の長さ（軸方向）で円形の一部を切り欠いたＤ字形状で、椀状隔壁部品９０の軸支持部９４の孔も軸の形状に合わせた形状になっている。また、ケーシング４１の軸支持部４６に挿入される軸７０の他端も、所定の長さ（軸方向）で円形の一部を切り欠いたＤ字形状であり、軸７０は長さ方向に対称形である。但し、軸７０の他端は、ケーシング４１の軸支持部４６に回転可能に挿入される。軸７０が長さ方向に対称形なのは、軸７０を椀状隔壁部品９０の軸支持部９４に挿入する際に、上下の向きを意識することなく組立を可能とするためである（図６参照）。
【００５６】
（５）Ｏリング８０
Ｏリング８０の材質は、ＥＰＤＭ（エチレン−プロピレン−ジエンゴム）などである。エチレン−プロピレン−ジエンゴムは、エチレンとプロピレンとの共重合体であるエチレン−プロピレンゴム（ＥＰＭ）に、少量の第３成分を導入し、主鎖中に二重結合をもたせたものである。第３成分の種類や量の違いにより様々な合成ゴムが市販されている。代表的な第３成分としてエチリデンノルボルネン（ＥＮＢ）、１，４−ヘキサジエン（１，４−ＨＤ）、ジシクロペンタジエン（ＤＣＰ）などがある。Ｏリング８０は、ポンプ部４０のケーシング４１と椀状隔壁部品９０とで挟持され、ポンプ部４０のケーシング４１と椀状隔壁部品９０とのシールを行うものである。給湯機などに搭載されるポンプ１０では、水周りのシールに耐熱性、長寿命が求められるため、ＥＰＤＭなどの材料を使用し、耐熱性を確保している。
【００５７】
（６）椀状隔壁部品９０
椀状隔壁部品９０は、ＰＰＥ（ポリフェニレンエーテル）などの熱可塑性樹脂を用いて成形される。椀状隔壁部品９０は、モールド固定子５０との嵌合部である椀状隔壁部９０ａと、鍔部９０ｂとを備える。椀状隔壁部９０ａは、円形の底部と円筒形の隔壁とで構成される。円形の底部の内面の略中央部に、軸７０の一端が挿入される軸支持部９４が立設している。鍔部９０ｂには、鍔部９０ｂを補強する補強リブ（図示せず）が径方向に放射状に複数個（例えば、１０個）形成されている。また、鍔部９０ｂには、モールド固定子５０のポンプ部４０のポンプ部設置面６３に納まる環状リブ（図示せず）を備える。また、鍔部９０ｂには、タッピングネジ１６０が通る孔９０ｄが５箇所に形成されている。さらに、鍔部９０ｂのケーシング４１側の面に、Ｏリング８０を収納する環状のＯリング収納溝９０ｃが形成されている。
【００５８】
ポンプ１０は、椀状隔壁部品９０にＯリング８０を設置した後、ケーシング４１を椀状隔壁部品９０に組付けてポンプ部４０を組み立て、モールド固定子５０にポンプ部４０を組付けてタッピングネジ１６０等により固定して組立てられる。
【００５９】
椀状隔壁部品９０の底部に備えるリブ９２と、モールド固定子５０の溝（図示せず）とが、嵌合することでポンプ部４０とモールド固定子５０の周方向の位置決めがなされる。
【００６０】
椀状隔壁部品９０の椀状隔壁部９０ａの内周には、椀状隔壁部品９０の軸支持部９４に挿入される軸７０に回転子６０が嵌められて収納される。従って、モールド固定子５０と回転子６０との同軸を確保するために、モールド固定子５０の内周と椀状隔壁部品９０の椀状隔壁部９０ａの外周との隙間はできるだけ小さい方がよい。例えば、その隙間は、０．０２〜０．０６ｍｍ程度に選ばれる。
【００６１】
モールド固定子５０の内周と椀状隔壁部品９０の椀状隔壁部９０ａの外周との隙間を小さくすると、モールド固定子５０の内周に椀状隔壁部品９０の椀状隔壁部９０ａを挿入する場合に、空気の逃げ道が狭くなり、椀状隔壁部品９０の挿入が困難になる。そのため、モールド固定子５０の内周部に軸方向に溝（図示省略）設けて、空気の逃げ道としておくとよい。なお、溝が設けられない場合には、隙間を０．０２〜０．０６ｍｍよりも大きめにしておくとよい。
【００６２】
図９は回転子部６０ａの断面図（図１１のＡ−Ａ断面図）、図１０は回転子部６０ａを羽根車取付部６７ａ側から見た側面図、図１１は回転子部６０ａを羽根車取付部６７ａの反対側から見た側面図、図１２はスリーブ軸受６６の拡大断面図である。図９乃至図１２を参照しながら回転子部６０ａについて説明する。
【００６３】
図９乃至図１１に示すように、回転子部６０ａは、少なくとも以下の要素を備える。そして、例えば、ＰＰＥ（ポリフェニレンエーテル）等の熱可塑性樹脂（樹脂部６７）により、樹脂マグネット６８と、スリーブ軸受６６とが一体成形される。
【００６４】
（１）樹脂マグネット６８
樹脂マグネット６８は、略リング状（円筒状）で、フェライト等の磁性粉末と樹脂を混練したペレットで成形したものである。
【００６５】
（２）スリーブ軸受６６
スリーブ軸受６６（例えば、カーボン製）は、樹脂マグネット６８の内側に設けられる。スリーブ軸受６６は、その形状が円筒状である。スリーブ軸受６６は、ポンプ１０の椀状隔壁部品９０に組み付けられた軸７０に嵌合して回転するため、軸受けの材料に好適な焼結カーボン、カーボン繊維を添加したＰＰＳ（ポリフェニレンサルファイド）等の熱可塑性樹脂、セラミック等で製作される。スリーブ軸受６６は、概略軸中心から両端に向かって外径が小さくなる抜きテーパを備え、外周側の概略軸中心に回り止めとなる半球状の突起６６ａ（図１２参照）を複数備える。
【００６６】
（３）樹脂部６７（熱可塑性樹脂で構成される部分、羽根車６０ｂを取付ける羽根車取付部６７ａは、熱可塑性樹脂で構成される樹脂部６７とともに形成される）
羽根車取付部６７ａ側の樹脂マグネット６８の端面に形成される樹脂部６７には、樹脂成形用金型の上型に設けられるマグネット押さえ部の箇所に第１の凹部６７ｂが形成される。第１の凹部６７ｂは、図９の例では、略中央部（径方向）に形成される。第１の凹部６７ｂは、樹脂マグネット６８の突起６８ａと対向する位置に形成される。
【００６７】
また、羽根車取付部６７ａには、図１０に示すように、羽根車６０ｂを取り付けるための羽根車位置決め穴６７ｃが、周方向に略等間隔に、例えば３個形成されている。羽根車位置決め穴６７ｃは、羽根車取付部６７ａを貫通している。羽根車位置決め穴６７ｃは、樹脂マグネット６８の３個の突起６８ａ（図１０に、３個の突起６８ａが示されている）のうちの２個の中間の径方向延長線上に形成されている。
【００６８】
さらに、羽根車取付部６７ａには、図１０に示すように、回転子部６０ａの熱可塑性樹脂（樹脂部６７）による成形時のゲート６７ｅ（樹脂注入口）が、周方向に略等間隔に、例えば３個形成されている。ゲート６７ｅは、樹脂マグネット６８の３個の突起６８ａの径方向の延長線上で、羽根車位置決め穴６７ｃよりも内側に形成されている。
【００６９】
そして、羽根車取付部６７ａと反対側の樹脂マグネット６８の内周面に形成される樹脂部６７には、樹脂成形用金型の下型に設けられる位置決め用突起（図示せず）に嵌め合わされる切欠き６７ｄが形成される（図９、図１１参照）。切欠き６７ｄは、図１１の例では、略９０°間隔で４箇所に形成される。切欠き６７ｄは、樹脂マグネット６８の切欠き６８ｂ（後述の図１５）の位置に形成される。
【００７０】
図１３は樹脂マグネット６８の断面図（図１５のＢ−Ｂ断面図）、図１４は樹脂マグネット６８を突起６８ａ側から見た側面図、図１５は樹脂マグネット６８を突起６８ａの反対側から見た側面図である。また、図１６は樹脂マグネット６８を突起６８ａ側から見た斜視図、図１７は樹脂マグネット６８を突起６８ａの反対側から見た斜視図、図１８は回転子部６０ａを突起６８ａ側から見た斜視図、図１９は樹脂マグネット６８を突起６８ａの反対側から見た斜視図である。次に、図１３乃至図１９を参照しながら樹脂マグネット６８の構成を説明する。
【００７１】
ここで示す樹脂マグネット６８は、磁極数が８極のものである。樹脂マグネット６８は、回転子６０に成形された状態で、羽根車取付部６７ａと反対側の端面の内周側に、テーパ状の切欠き６８ｂを周方向に略等間隔に複数個備える。図１５の例では、切欠き６８ｂは８個である。切欠き６８ｂは、軸方向の内側よりも端面側の径が大きくなるテーパ形状である。
【００７２】
樹脂マグネット６８は、テーパ状の切欠き６８ｂが形成された端面と反対側の端面から所定の深さの内周側に、略角形状（円弧形状）の突起６８ａを周方向に略等間隔に複数個備える。図１４の例では、突起６８ａは３個である。
【００７３】
図１４に示すように、突起６８ａは、側面から見て略角形状で、端面側に凸部６８ａ−１を備える。回転子部６０ａを一体成形する際、突起６８ａの端部に備える凸部６８ａ−１が回転子部６０ａを形成する熱可塑性樹脂（樹脂部６７）で保持される。このようにすることで、樹脂部６７と樹脂マグネット６８との間に樹脂のヒケによる微小な隙間が出来た際にも樹脂マグネット６８の回転トルクを確実に伝達することができ、回転子部６０ａの品質向上が図れる。突起６８ａの形状は、略角形状に限定されるものではない。三角、台形、半円、多角形等の形状でもよい。
【００７４】
樹脂マグネット６８は、回転子６０に成形された状態で、磁極位置検出素子（ホール素子５８ｂ（図４参照））対向側に、プラスチックマグネット（樹脂マグネット６８の素材）が供給されるゲート（図示せず）を備え、ゲートの位置は極中心（磁極中心）である。磁極中心に樹脂マグネット６８が供給されるゲートを備えることで、樹脂マグネット６８の配向精度を向上することが可能となる。
【００７５】
図１３に示すように、樹脂マグネット６８の中空部は、突起６８ａが形成される端面から概略軸方向の中心位置までストレート形状で、且つ、突起６８ａが形成される端面の反対側端面から概略軸方向の中心位置までは抜きテーパ形状である。よって、金型から成形品を取り出すことが容易となる。そのため、樹脂マグネット６８の生産性が向上し、製造コストの低減が可能となっている。即ち、樹脂マグネット６８の中空部が抜きテーパとなっていることで、成形品の一部あるいは全部が金型へ張り付き取り出せなくなる状態となること（金型への取られ）を防止し、樹脂マグネット６８の生産性向上が可能となる。樹脂マグネット６８を成形する金型は、突起６８ａの抜きテーパ形状側の端面において固定側金型と稼動側金型に分けられ、稼動側金型で形成される中空部の一部がストレート形状となっていることで、より固定側金型への取られを防止し、樹脂マグネット６８の生産性向上が可能となる。稼動側金型からはエジェクタピンで押し出して取り出す。
【００７６】
図１５に示すように、樹脂マグネット６８は、磁極位置検出素子（ホール素子５８ｂ（図４参照））対向側の端面に、断面形状が略長円形状の凸部６８ｅが放射状に複数個（図１５の例では、８個）形成されている。また、図１４に示すように、羽根車取付部６７ａ側の端面に、断面形状が略長穴形状の凹部６８ｄが放射状に複数個（図１４の例では、８個）形成されている。さらに、樹脂マグネット６８は、その外周部に、樹脂マグネット６８の両端面から軸中心に向かって軸方向に延在する略角形状の溝部６８ｇが放射状に複数個形成されている。この溝部６８ｇは、回転子６０の両端面に開放されるように形成される。
【００７７】
回転子部６０ａの熱可塑性樹脂（樹脂部６７）による一体成形時に、凸部６８ｅと凹部６８ｄ及び溝部６８ｇは熱可塑性樹脂（樹脂部６７）で埋設され、樹脂マグネット６８は樹脂部６７で保持される（図１８、図１９参照）。
【００７８】
溝部６８ｇは、略同一放射線状に形成され、回転子６０に形成される磁極間に位置する。樹脂マグネット６８の極間に溝部６８ｇを設けることで、磁力の低下を極力抑制し、ポンプ１０の性能低下を抑制することができる。また、溝部６８ｇは樹脂マグネット６８の両端面に通じることで、より強固に樹脂マグネット６８を保持することができる。
【００７９】
図１５に示すように、磁極位置検出素子（ホール素子５８ｂ（図４参照））対向側に形成される凸部６８ｅは、回転子６０に形成される磁極の略中心に形成されている。即ち、樹脂マグネット６８の素材が供給される図示省略のゲート間に放射状に形成されている。
【００８０】
極中心に凸部６８ｅを設けることで磁力を確保し、ホール素子５８ｂによる磁極位置検出精度が向上することでポンプ１０の品質向上を図ることができる。また、樹脂マグネット６８の磁力が向上することでポンプ１０の性能向上を図ることができる。
【００８１】
更に、樹脂マグネット６８の羽根車取付部６７ａ側に形成される凹部６８ｄは、回転子６０に形成される磁極間、即ち樹脂マグネット６８の素材が供給されるゲートの位置と、略同一放射線状に位置する。このように、樹脂マグネット６８の極間に凹部６８ｄを設けることで、磁力の低下を極力抑制し、ポンプ１０の性能の低下を抑制することができる。
【００８２】
樹脂マグネット６８の磁極位置検出素子（ホール素子５８ｂ（図４参照））対向側に形成される凸部６８ｅ、または、羽根車取付部６７ａ側に形成される凹部６８ｄの少なくとも一方は、回転子６０に形成される磁極と同数である。凸部６８ｅや凹部６８ｄを磁極と同数とすることにより、磁力のアンバランスを抑制できる。
【００８３】
樹脂マグネット６８は、磁極位置検出素子（ホール素子５８ｂ（図４参照））対向側の端面の外周部に、所定の幅及び所定の高さで環状に軸方向に突き出した磁極位置検出部６８ｆを備える（図１５参照）。樹脂マグネット６８の磁極位置検出部６８ｆと、基板５８に実装されたホール素子５８ｂとの軸方向距離を縮めることで、磁極位置検出精度の向上を図ることができる。
【００８４】
磁極位置検出素子として、磁気センサであるホール素子５８ｂとその出力信号をデジタル信号に変換するＩＣが１パッケージ化され、基板５８に面実装されたホールＩＣを用い、樹脂マグネット６８の軸方向端面（磁極位置検出素子対向面）より樹脂マグネット６８の漏れ磁束を検出する。こうすることで、ホール素子５８ｂを基板５８にホール素子ホルダ（図示せず）で固定し、樹脂マグネット６８の側面より樹脂マグネット６８の主磁束を検出する場合に比べて、基板５８の加工費などを低減することができ、ポンプ１０の低コスト化が可能となる。
【００８５】
なお、図示はしないが、樹脂マグネット６８の変形例として、樹脂マグネット６８の素材が供給されるゲートの位置を極間に配置することも可能である。変形例の樹脂マグネット６８は、ゲートの位置を磁極間とすることで、磁極のばらつきを抑え、磁極位置検出精度を向上し、ポンプ１０の品質向上を図ることが可能となる。
【００８６】
次に、ポンプ用電動機の回転子６０の熱可塑性樹脂による一体成形について説明する。樹脂マグネット６８を例とする。
【００８７】
樹脂マグネット６８とスリーブ軸受６６とを一体に成形する金型は、上型と下型とで構成される（図示せず）。先ず、スリーブ軸受６６が下型にセットされる。スリーブ軸受６６は、軸垂直方向に対称であるため、周方向の向きを合わせることなく金型にセットすることができる。スリーブ軸受６６は、外周部に突起６６ａ（図１２参照）を複数備えるが、突起６６ａの位置は特に限定するものではない。そのため、作業工程が簡素化されて生産性が向上し、製造コストの低減が可能となる。
【００８８】
スリーブ軸受６６は、下型にセットされた時、下型に備えるスリーブ軸受挿入部（図示せず）に、スリーブ軸受６６の内径が保持されることにより、スリーブ軸受６６と後工程でセットされる樹脂マグネット６８との同軸度の精度が確保される。
【００８９】
樹脂マグネット６８は、スリーブ軸受６６が下型にセットされた後に、樹脂マグネット６８の一方の端面（ポンプ用電動機の回転子６０の状態で、羽根車取付部６７ａと反対側の端面）の内径に備えるテーパ状の切欠き６８ｂが下型に設けられる位置決め用突起（図示せず）に嵌め合わされてセットされる。図１５の例では、切欠き６８ｂは８個あるが、その中の略９０°間隔の４個が下型の位置決め用突起（図示せず）に嵌め合わされることにより、スリーブ軸受６６と樹脂マグネット６８との同軸度の精度が確保される。切欠き６８ｂを８個設けるのは、樹脂マグネット６８を下型にセットする際の作業性を向上させるためである。
【００９０】
さらに、上型が有するマグネット押さえ部（図示せず）を、樹脂マグネット６８の他方の端面（ポンプ用電動機の回転子６０の状態で、羽根車取付部６７ａ側の端面）の内周部に形成された略角形状の突起６８ａに軸方向から押し当てる。それにより、スリーブ軸受６６と樹脂マグネット６８との位置関係および同軸が確保される。
【００９１】
図１４の例では、樹脂マグネット６８の内周の略角形状（円弧形状）の突起６８ａは、全部で３個あり、突起６８ａの金型設置面（金型で押えられる部分）は一体成形後に表出する。突起６８ａが３個となっているのは、樹脂マグネット６８の位置決め精度を確保すると同時に、一体成形に用いる熱可塑性樹脂の流入経路を確保することで、一体成形時の成形条件を緩和し、生産性を向上するためである。
【００９２】
下型の樹脂マグネット６８の挿入部（図示せず）と樹脂マグネット６８の外径との間に隙間がある場合でも、下型が有する内径押さえ部（位置決め用突起）で同軸度を確保し、上型と下型で挟み込むことにより、スリーブ軸受６６と樹脂マグネット６８との位置関係及び同軸度の確保が可能となり、ポンプ１０の品質向上を図ることが可能となる。
【００９３】
また逆に、下型の樹脂マグネット６８の挿入部（図示せず）と樹脂マグネット６８の外径との間に隙間を作ることにより、樹脂マグネット６８を金型にセットする作業性が向上し、製造コストが低減される。
【００９４】
樹脂マグネット６８とスリーブ軸受６６とが金型にセットされた後、ＰＰＥ（ポリフェニレンエーテル）等の熱可塑性樹脂が射出成形されて、回転子部６０ａが形成される。このとき、樹脂マグネット６８の金型で押さえられない切欠き６８ｂ（図１５）、即ち４箇所の切欠き６８ｂと、樹脂マグネット６８の磁極位置検出素子対向側の端面に設けられた凸部６８ｅと、羽根車取付部６７ａ側の端面に設けられた凹部６８ｄと、樹脂マグネットの外周部に設けられた溝部６８ｇとが、熱可塑性樹脂の樹脂部６７に埋設され回転トルクの伝達部分となる。さらに、凸部６８ｅと凹部６８ｄと溝部６８ｇとが、熱可塑性樹脂の樹脂部６７に埋設されることにより、樹脂マグネット６８が強固に保持される。
【００９５】
樹脂マグネット６８の極中心にゲートを備えるので、樹脂マグネット６８のフローフロント（流動先端部）が会合した場所に発生するＶノッチ状の糸状の細い線状痕であるウエルドラインが極間に形成される。溝部６８ｇは樹脂マグネット６８の極間に形成されているため、溝部６８ｇに熱可塑性樹脂が充填され、樹脂マグネット６８のウエルドラインを強固に保持することで、熱衝撃によるマグネット割れを抑制することができる。
【００９６】
上述した変形例のように、樹脂マグネット６８の極間にゲートを備える場合には、樹脂マグネット６８のウエルドラインは極中心に形成される。溝部６８ｇは樹脂マグネット６８の極間（樹脂マグネット６８の厚肉部）に形成されているため、溝部６８ｇ（樹脂マグネット６８の薄肉部）に熱可塑性樹脂が充填され、樹脂マグネット６８を強固に保持することで、熱衝撃によるマグネット割れを抑制することができる。
【００９７】
樹脂マグネット６８とスリーブ軸受６６とが熱可塑性樹脂（樹脂部６７）にて一体に成形された後、樹脂マグネット６８に着磁を施す際、回転子部６０ａの羽根車取付部６７ａと反対側の樹脂マグネット６８端面の内周面に形成される切欠き６７ｄ（図１１では４箇所）を着磁時の位置決めに利用することで、精度の良い着磁が可能となる。
【００９８】
以上のように、本実施の形態によれば、以下の効果を奏する。
（１）回転子部６０ａにスリーブ軸受６６と一体成形される樹脂マグネット６８は、磁極位置検出素子（ホール素子５８ｂ）対向側の端面に、放射状に複数個形成される。また樹脂マグネット６８は、断面形状が略長穴形状の凸部６８ｅを備え、羽根車取付部６７ａ側の端面に、放射上に複数個形成され、断面形状が略長円形状の凹部６８ｄを備え、樹脂マグネットの外周部に、放射状に複数個形成され、略角形状の溝部６８ｇを備えている。そして、樹脂マグネット６８は、熱可塑性樹脂（樹脂部６７）による一体成形時に、凸部６８ｅと凹部６８ｄと溝部６８ｇは熱可塑性樹脂（樹脂部６７）で埋設され、樹脂マグネット６８を保持することにより、固定子と樹脂マグネット間の径方向距離を拡大せずに樹脂マグネット６８を強固に保持することができる。
【００９９】
（２）樹脂マグネット６８の磁極位置検出素子（ホール素子５８ｂ）対向側に形成される凸部６８ｅは、回転子６０に形成される磁極の略中心に、略同一放射線状に形成されていることにより、磁極位置検出に用いる磁力を確保できる。
【０１００】
（３）樹脂マグネット６８の羽根車取付部６７ａ側に形成される凹部６８ｄは、回転子６０に形成される磁極間に、略同一放射線状に形成されていることにより、樹脂マグネット６８に凹部６８ｄを設けたことによる磁力低下を抑制することができる。
【０１０１】
（４）樹脂マグネット６８の磁極位置検出素子（ホール素子５８ｂ）対向側に形成される凸部６８ｅ、または、羽根車取付部６７ａ側に形成される凹部６８ｄの少なくとも一方は、回転子６０に形成される磁極と同数とすることにより、樹脂マグネット６８の磁力のアンバランスを抑制することができる。
【０１０２】
（５）樹脂マグネット６８は、磁極位置検出素子（ホール素子５８ｂ）対向側の端面に樹脂マグネット６８の素材が供給されるゲートを備え、ゲートの位置は磁極間であることにより、磁極位置検出精度を向上することができる。
【０１０３】
（６）樹脂マグネット６８は、磁極位置検出素子（ホール素子５８ｂ）対向側の端面に樹脂マグネット６８の素材が供給されるゲートを備え、ゲートの位置は磁極の略中心であることにより、樹脂マグネット６８の配向精度を向上することができる。
【０１０４】
（７）樹脂マグネット６８は、磁極位置検出素子（ホール素子５８ｂ）対向側の端面の外周部に、所定の幅で所定の高さ軸方向に突き出した磁極位置検出部６８ｆを備えることにより、磁極位置検出精度を向上することができる。
【０１０５】
（８）樹脂マグネット６８の中空部は、突起６８ａが形成される端面から概略軸方向の中心位置までストレート形状で、かつ、突起６８ａが形成される端面の反対側端面から概略軸方向の中心位置までは抜きテーパ形状となっていることにより、樹脂マグネット６８の生産性を向上することができる。
【０１０６】
図２０はポンプ１０の製造工程を示す図である。図２０により、ポンプ１０の製造工程を説明する。なお、以下で使用する「製造」という表現を、「準備」という表現に読み替えてもよい。
【０１０７】
（１）ステップ１
厚さが０．１〜０．７ｍｍ程度の電磁鋼板が帯状に打ち抜かれ、かしめ、溶接、接着等で積層された帯状の固定子鉄心５４を製造する。併せて、スリーブ軸受６６を製造する。さらに併せて、樹脂マグネット６８を成形する。
【０１０８】
（２）ステップ２
固定子鉄心５４に巻線を行う。薄肉連結部で連結された帯状の固定子鉄心５４のティースに、ＰＢＴ（ポリブチレンテレフタレート）等の熱可塑性樹脂を用いる絶縁部５６が施される。絶縁部５６が施されたティースに集中巻のコイル５７が巻回される。例えば、１２個の集中巻のコイル５７を接続して、三相のシングルＹ結線の巻線を形成する。三相のシングルＹ結線であるので、絶縁部５６の結線側には、各相（Ｕ相、Ｖ相、Ｗ相）のコイル５７が接続される端子５９（電源が供給される電源端子及び中性点端子）が組付けられる。
併せて、基板５８を製造する。基板５８は、基板押え部品９５により絶縁部５６との間に挟持される。基板５８には、電動機（ブラシレスＤＣモータ）を駆動するＩＣ、回転子６０の位置を検出するホール素子等が実装されている。また、基板５８には、その外周縁部付近の切り欠き部にリード線５２を口出しするリード線口出し部品６１が、取り付けられる。
併せて、回転子部６０ａを製造する。回転子部６０ａは、フェライト等の磁性粉末と樹脂を混練したペレットを成形したリング状（円筒状）の樹脂マグネット６８と、樹脂マグネット６８の内側に設けられる円筒形のスリーブ軸受６６（例えば、カーボン製）とが、例えばＰＰＥ（ポリフェニレンエーテル）等の樹脂で一体化される。
さらに、併せて、羽根車６０ｂを成形する。羽根車６０ｂは、ＰＰＥ（ポリフェニレンエーテル）などの熱可塑性樹脂を用いて成形される。
【０１０９】
（３）ステップ３
固定子鉄心５４に巻線を施した固定子４７に基板５８を組付ける。リード線口出し部品６１が取り付けられた基板５８が基板押え部品９５により絶縁部５６に固定される。
併せて、回転子部６０ａに羽根車６０ｂを超音波溶着等により組付ける。
併せて、椀状隔壁部品９０を成形する。
併せて、軸７０とスラスト軸受７１を製造する。軸７０は、ＳＵＳで製造される。スラスト軸受７１はセラミックで製造される。
【０１１０】
（４）ステップ４
基板５８を半田付けする。端子５９（電源が供給される電源端子及び中性点端子）と基板５８とを半田付けする。
併せて、下穴部品８１を成形する。
併せて、ケーシング４１を成形する。ケーシング４１は、ＰＰＳ（ポリフェニレンサルファイド）などの熱可塑性樹脂を用いて成形される。
さらに、併せて、椀状隔壁部品９０に回転子６０等を組付ける。
【０１１１】
（５）ステップ５
モールド固定子５０を製造する。固定子４７に、下穴部品８１を組み付けることで固定子組立４９が完成する。この固定子組立４９をモールド成形して、モールド固定子５０を製造する。
併せて、椀状隔壁部品９０にケーシング４１を固定してポンプ部４０を組立てる。
さらに、併せて、タッピングネジ１６０を製造する。
【０１１２】
（６）ステップ６
ポンプ１０の組立を行う。モールド固定子５０にポンプ部４０を組付けタッピングネジ１６０で固定する。具体的には、モールド固定子５０にポンプ部４０を組付け、ポンプ部４０のネジ穴４４ａを介して、モールド固定子５０の表出する下穴８４にタッピングネジ１６０を締結して、モールド固定子５０とポンプ部４０とを固定する。
【０１１３】
図２１は冷媒−水熱交換器２を用いる冷凍サイクル装置の回路構成を示す概念図である。図１で説明したヒートポンプ式給湯装置３００は、冷媒−水熱交換器２を用いる冷凍サイクル装置の一例である。
【０１１４】
冷媒−水熱交換器２を用いる装置としては、例えば、空気調和装置、床暖房装置、給湯装置等が存在する。本実施の形態に係るポンプ１０は、冷媒−水熱交換器２を用いる装置の水回路に搭載されて、冷媒−水熱交換器２で冷却もしくは加熱された水（湯）を水回路内で循環させる。
【０１１５】
図２１に示すように、冷媒−水熱交換器２を用いる冷凍サイクル装置は、冷媒を圧縮する圧縮機１（例えば、スクロール圧縮機、ロータリ圧縮機等）、冷媒と水とが熱交換を行う冷媒−水熱交換器２、蒸発器４（熱交換器）等を有する冷媒回路を備える。また、ポンプ１０、冷媒−水熱交換器２、負荷２０等を有する水回路を備える。つまり、冷媒回路と水回路とが冷媒−水熱交換器２で接続されて、熱の授受を行うようになっている。
【０１１６】
ポンプ用電動機の回転子６０を搭載したポンプ１０を、冷媒−水熱交換器２を用いる冷凍サイクル装置に適用した場合、ポンプ１０の性能及び品質向上、生産性の向上に伴い、冷媒−水熱交換器２を用いる冷凍サイクル装置の性能向上及び品質向上、コスト低減が可能となる。
【符号の説明】
【０１１７】
１  圧縮機、２  冷媒−水熱交換器、３  減圧装置、４  蒸発器、５  圧力検出装置、６  ファンモータ、７  ファン、８  沸上げ温度検出手段、９  給水温度検出手段、  １０  ポンプ、１１  操作部、１２  タンクユニット制御部、１３  ヒートポンプユニット制御部、１４  温水タンク、１５  冷媒配管、１６  温水循環配管、１７  外気温度検出手段、２０  負荷、３１  風呂水追い焚き熱交換器、３２  風呂水循環装置、３３  混合弁、３４  タンク内水温検出装置、３５  追い焚き後水温検出装置、３６  混合後水温検出装置、３７  風呂水追い焚き配管、４０  ポンプ部、４１  ケーシング、４２  吸入口、４３  吐出口、４４  ボス部、４４ａ  ネジ穴、４６  軸支持部、４７  固定子、４９  固定子組立、５０  モールド固定子、５２  リード線、５３  モールド樹脂、５４  固定子鉄心、５４ａ  溝、５６  絶縁部、５７  コイル、５８  基板、５８ｂ  ホール素子、５９  端子、６０  回転子、６０ａ  回転子部、６０ｂ  羽根車、６１  リード線口出し部品、６３  ポンプ部設置面、６６  スリーブ軸受、６６ａ  突起、６７  樹脂部、６７ａ  羽根車取付部、６７ｂ  凹部、６７ｃ  穴、６７ｄ  切欠き、６７ｅ  ゲート、６８  樹脂マグネット、６８ａ  突起（本発明の第１突起に相当）、６８ａ−１  凸部、６８ｂ  切欠き、６８ｄ  凹部、６８ｅ  凸部（本発明の第２突起に相当）、６８ｆ  磁極位置検出部、６８ｇ  溝部、７０  軸、７１  スラスト軸受、８０  Ｏリング、８１  下穴部品、８２  金型押え部、８３  突起、８４  下穴、８５  足部、８５ａ  突起、８６  爪、８７  連結部、９０  椀状隔壁部品、９０ａ  椀状隔壁部、９０ｂ  鍔部、９０ｃ  リング収納溝、９０ｄ  孔、９２  リブ、９４  軸支持部、９５  基板押え部品、９５ａ  突起、１００  ヒートポンプユニット、１６０  タッピングネジ、２００  タンクユニット、３００  ヒートポンプ式給湯装置。
【図１】
0006029597.tif 000002
【図２】
0006029597.tif 000003
【図３】
0006029597.tif 000004
【図４】
0006029597.tif 000005
【図５】
0006029597.tif 000006
【図６】
0006029597.tif 000007
【図７】
0006029597.tif 000008
【図８】
0006029597.tif 000009
【図９】
0006029597.tif 000010
【図１０】
0006029597.tif 000011
【図１１】
0006029597.tif 000012
【図１２】
0006029597.tif 000013
【図１３】
0006029597.tif 000014
【図１４】
0006029597.tif 000015
【図１５】
0006029597.tif 000016
【図１６】
0006029597.tif 000017
【図１７】
0006029597.tif 000018
【図１８】
0006029597.tif 000019
【図１９】
0006029597.tif 000020
【図２０】
0006029597.tif 000021
【図２１】
0006029597.tif 000022